(57)【要約】【課題】モータを駆動源にしながら被駆動体への電力供給を接点等の専用の部品を用いずに行うことが可能な給電部を有する駆動装置を提供する。【解決手段】ドラム等の被駆動体を回転駆動する共振圧電モータは、両面に一対の駆動用電極３２，４１が設けられた圧電素子４０と、その側面に取り付けられた導電フィンガーチップ３１と、圧電素子４０を揺動可能に保持する支持手段とを備えて構成され、駆動用電極３２，４１への駆動信号に応じて圧電素子４０に発生する電歪により被駆動体を回転させる駆動力を導電フィンガーチップ３１に発生させる。更に、圧電素子４０の側部には、導電フィンガーチップ３１に接続される導電部４２が設けられており、導電フィンガーチップ３１が被駆動体の導電部に接触の際、この導電部と導電部４２が導電フィンガーチップ３１を介して接続され、被駆動体側に電源供給が行われる。【選択図】        図４
2004187458.tif 000002
【特許請求の範囲】
【請求項１】
外表面に導電部が形成された被駆動体と、
一対の駆動用電極が設けられた板状の圧電素子、前記圧電素子の一辺に取り付けられた導電チップ、及び前記圧電素子を揺動可能に保持する支持手段を有し、前記駆動用電極に印加される信号に応じて前記圧電素子に発生する共振により前記被駆動体を回転させる駆動力を前記導電チップに発生させる共振圧電モータと、
前記圧電素子の表面に設けられると共に、前記導電チップに接続される電源供給用電極とを備え、
前記導電チップと前記被駆動体の前記導電部との接触により、前記導電チップを介して前記電源供給用電極から前記被駆動体の前記導電部へ電源供給を行うことを特徴とする電気給電部を有する駆動装置。
【請求項２】
前記被駆動体は、回転体または作動体であることを特徴とする請求項１記載の電気給電部を有する駆動装置。
【請求項３】
前記被駆動体は、前記導電部の他に第２の導電部を備えることを特徴とする請求項１又は２記載の電気給電部を有する駆動装置。
【請求項４】
前記被駆動体は、前記導電部と前記第２の導電部との間に１または複数の発光素子が接続されていることを特徴とする請求項３記載の電気給電部を有する駆動装置。
【請求項５】
前記被駆動体は、前記導電部と前記第２の導電部との間に平滑コンデンサが接続されていることを特徴とする請求項３または４記載の電気給電部を有する駆動装置。
【請求項６】
前記第２の導電部は、前記導電部と同一構造を有することを特徴とする請求項３，４または５記載の電気給電部を有する駆動装置。
【請求項７】
前記第２の導電部は、前記被駆動体の回転軸及びこの回転軸に接触する摺動部材であることを特徴とする請求項３，４または５記載の電気給電部を有する駆動装置。
【請求項８】
前記被駆動体は、複数の前記共振圧電モータのそれぞれの導電チップが前記導電部と前記第２の導電部に接触するように配置されていることを特徴とする請求項３記載の電気給電部を有する駆動装置。
【請求項９】
前記回転体は、遊戯装置の絵柄を回転させるドラムであることを特徴とする請求項２記載の電気給電部を有する駆動装置。
【発明の詳細な説明】
【０００１】
【発明の属する技術分野】
本発明は、給電部を有する駆動装置に関し、特に、回転体等の被駆動体の駆動を回転軸を持たないモータによって行うと同時に、該モータの駆動端を給電部として用いることのできる給電部を有する駆動装置に関する。
【０００２】
【従来の技術】
例えば、スロットマシンは回転自在な複数の絵柄リール（ドラム）を備えており、この絵柄リールの表面には、数字やイラスト等の絵柄が配置されており、遊戯者がスタートボタンを操作することにより、前記複数の絵柄リールを回転させた後、その回転をストップボタンを操作することにより、前記遊戯者が任意のタイミングで順次停止させることにより、正面の複数の絵柄の組み合わせに基づいて入賞が決定される。
【０００３】
絵柄リールのような回転体の駆動には、従来、回転軸を有するモータ、例えば、ステッピングモータが用いられている（例えば、特許文献１参照）。ステッピングモータに比べて大幅に小型化が可能で、駆動部の小型化が可能な駆動源として、例えば、圧電セラミック等の圧電素子を用いた共振圧電モータがある（例えば、特許文献２参照）。
【０００４】
【特許文献１】
特開平８−２０６２７９号公報
【特許文献２】
特開平７−１８４３８２号公報
【発明が解決しようとする課題】
しかし、従来の駆動装置によると、絵柄リールを駆動するのにステッピングモータを使用しているため、駆動部が大型化すると共に、ギヤ機構を介して絵柄リールの回転軸にモータ出力を伝達するため、絵柄リールの交換時にはギヤの噛み合い位置の調整を必要とし、煩雑な作業が要求される。また、特許文献２においては、ＣＤ（コンパクトディスク）読み取り装置に対する適用の開示のみであり、分野の異なる絵柄リールの駆動に適用するには解決すべき課題が多大であり、直ちに適用することはできない。
【０００５】
また、従来、スロットマシンにおける絵柄は、絵柄毎の照明は行われていなかったが、絵柄リールの絵柄内にランプやＬＥＤ等の発光素子を内蔵させることにより、スロットマシンの面白みを増すことができると考えられる。このような目的に対して、一般には、回転リングと摺動片（接触子）の組み合わせや、水銀接点等が用いられているが、絵柄リール等の被駆動体の駆動にモータを使用し、更に被駆動体内の発光素子に電力を供給する構成では、モータと接点等による電力供給機構とを別体にしなければならず、スペースがとられると共にコストアップになる。
【０００６】
従って、本発明の目的は、モータを駆動源にしながら被駆動体への電力供給を接点等の専用の部品を用いずに行うことが可能な給電部を有する駆動装置を提供することにある。
【０００７】
【課題を解決するための手段】
本発明は、上記の目的を達成するため、外表面に導電部が形成された被駆動体と、一対の駆動用電極が設けられた板状の圧電素子、前記圧電素子の一辺に取り付けられた導電チップ、及び前記圧電素子を揺動可能に保持する支持手段を有し、前記駆動用電極に印加される信号に応じて前記圧電素子に発生する共振により前記被駆動体を回転させる駆動力を前記導電チップに発生させる共振圧電モータと、前記圧電素子の表面に設けられると共に、前記導電チップに接続される電源供給用電極とを備え、前記導電チップと前記被駆動体の前記導電部との接触により、前記導電チップを介して前記電源供給用電極から前記被駆動体の前記導電部へ電源供給を行うことを特徴とする電気給電部を有する駆動装置を提供する。
【０００８】
この構成によれば、共振圧電モータの導電チップによって被駆動体の回転駆動等を行うと同時に、導電チップを介して被駆動体側に電源供給を行うことができる。共振圧電モータにより動力伝達と電源供給が同時に行えるため、従来、被駆動体が回転体である場合、電源供給を行うことは容易でなかったが、少ない部品点数にし、スペースを増加することなく電源供給が行えるようになる。
【０００９】
【発明の実施の形態】
以下、本発明の実施の形態を図面に基づいて説明する。
図１は、本発明の駆動装置が適用される遊戯装置の一例を示す。ここでは、遊戯装置としてスロットマシンを示して説明する。
スロットマシン１の正面には、正面パネル２が取り付けられている。この正面パネル２の略上半分には、縦長のリール窓３Ａ，３Ｂ，３Ｃが横一列に配設されている。リール窓３Ａ，３Ｂ，３Ｃのそれぞれには、外周面に数字やイラスト等の絵柄が施されたドラム４Ａ，４Ｂ，４Ｃが個別に回転自在に配設されている。リール窓３Ａの近傍には、入賞ラインを表示する入賞ライン表示部５（複数の発光素子による）が配設され、更に、リール窓３Ｃの近傍には、メダルの払い出し枚数を表示する払出枚数表示部６が配設されている。この払出枚数表示部６の下部には、メダルを投入するメダル投入口７が配設されている。
【００１０】
正面パネル２の略中央部には、ドラム４Ａ，４Ｂ，４Ｃを回転させてゲームを開始させるためのスタートスイッチ８と、ドラム４Ａ，４Ｂ，４Ｃのそれぞれの回転を個別に停止させるためのストップボタン９Ａ，９Ｂ，９Ｃが横並びに配設されている。更に、正面パネル２の最下部には、払い出されたメダルを受け入れるメダル受け皿１０と、メダル受け皿１０のメダルを払い出すメダル払出口１１が設けられている。
【００１１】
図２は図１のドラム４Ａ〜４Ｃの詳細構成を示し、（ａ）は側面、（ｂ）は正面である。
駆動装置２０は、それぞれの表面に異なる複数の絵柄２１（数字、アルファベット、イラスト等）が施されたドラム４Ａ〜４Ｃ（被駆動体）と、このドラム４Ａ〜４Ｃを個別に回転可能に支持する駆動軸２２と、ドラム４Ａ〜４Ｃの内部に絵柄２１毎に設けられた複数の発光素子（例えば、ＬＥＤ）２３と、ドラム４Ａ〜４Ｃのそれぞれの絵柄形成領域の両側に設けられた導電部としての導電層２４Ａ，２４Ｂ，２４Ｃ，２４Ｄ，２４Ｅ，２４Ｆと、ドラム４Ａ〜４Ｃの表面近傍に設けられてドラム４Ａ〜４Ｃを個別に回転駆動する駆動源としての共振圧電モータ３０Ａ，３０Ｂ，３０Ｃ，３０Ｄ，３０Ｅ，３０Ｆと、これら共振圧電モータの駆動端に設けられた金属製または表面が導電加工されている導電フィンガーチップ３１（導電チップ）を備えている。ドラム４Ａ〜４Ｃのそれぞれの絵柄形成領域の両側の所定幅部分は、絵柄形成領域の外径よりも小さい外径に作られており、この小径面に導電層２４Ａ〜２４Ｆが設けられている。導電層２４Ａ，２４Ｃ，２４Ｅにはドラム単位に発光素子２３の一方の電極（または端子）が接続され、導電層２４Ｂ，２４Ｄ，２４Ｆには発光素子２３の他方の電極（または端子）が接続されている。発光素子２３がＬＥＤの場合、全てのＬＥＤのカソードとアノードの極性を一致させる。
【００１２】
ドラム４Ａ〜４Ｃは回転軸２２に同軸に配置され、この回転軸２２に不図示の軸受け部材を介して個別に軸支されている。共振圧電モータ３０Ａ〜３０Ｆのそれぞれは先端に導電フィンガーチップ３１が設けられており、この導電フィンガーチップ３１の先端面がドラム４Ａ〜４Ｃの表面に接触することによって、ドラム４Ａ〜４Ｃが回転する。各ドラムは２個の共振圧電モータによって駆動され、十分な駆動力を発揮すると共に、２個の共振圧電モータを介してドラム毎にＬＥＤへの電源供給が行われるようにしている。
【００１３】
次に、共振圧電モータの詳細について説明する。共振圧電モータ３０Ａ〜３０Ｆは同一の構成及び仕様であるので、ここでは、共振圧電モータ３０Ａについてのみ説明する。
図３は共振圧電モータ３０Ａの内部構造を示し、図４は共振圧電モータ３０Ａの外観を示す。図４において、（ａ）は正面、（ｂ）は側面、（ｃ）は裏面、（ｄ）は底面であり、電極の配置状況を示している。
【００１４】
図３に示すように、樹脂材料または金属材料を用いたケース３３内には、圧電セラミック４０が配設されている。この圧電セラミック４０は、モータ駆動用電極３２と裏面の電極（図４のモータ駆動用電極４１）との間に印加される信号に応じて生じた電歪により機械的な変形が生じ、この変形によって導電フィンガーチップ３１の先端には図示するＡ方向又はＢ方向に楕円状の規則的な動きが発生する。圧電セラミック４０の形状は、所望の駆動力を発生させるのに必要な水平方向及び垂直方向に対する共振特性及び材料に応じて定まる。圧電セラミック４０の先端面には、一部がケース３３の外に露出する導電フィンガーチップ３１が装着されている。圧電セラミック４０は、ケース３３内の底面に立設された固定支持体３４Ａと３４Ｂにより支持されている。更に、圧電セラミック４０の上面は弾性支持体３５Ａ，３５Ｂ（例えば、シリコンゴムの円筒体、棒状体等）によりケース３３内の天井面に弾性的に支持され、圧電セラミック４０の後面は弾性支持体３５Ｃにより弾性的に支持されている。固定支持体３４Ａ，３４Ｂは、圧電セラミック４０の長縁部に沿って移動を許容するように構成されている。
【００１５】
共振圧電モータ３０Ａの正面には、図３及び図４の（ａ）に示すようにモータ駆動用電極３２が設けられている。更に、共振圧電モータ３０Ａの裏面には、図４の（ｃ）に示すようにモータ駆動用電極４１が形成されている。また、導電フィンガーチップ３１が設けられている側面及び底面には、図４の（ｂ），（ｄ）に示すように導電部４２が形成されている。導電部４２は、側面及び底面を通して導電フィンガーチップ３１に接続されている。
【００１６】
ドラム４Ａを回転させたい場合、共振圧電モータ３０Ａと３０Ｂのそれぞれのモータ駆動用電極３２と４１の間に所定の信号を印加する。すると、共振圧電モータ３０Ａと３０Ｂのそれぞれの圧電セラミック４０には、図２の（ａ），（ｂ）の上下方向に導電フィンガーチップ３１を変位させる共振が生じる。弾性支持体３５Ｃは、弾性力によって導電フィンガーチップ３１のそれぞれをドラム４Ａの絵柄面方向へ付勢する。また、弾性支持体３５Ａ及び３５Ｂも、同様に圧電セラミック４０の垂直方向Ｙへの変位を弾性的に吸収する。このとき、弾性支持体３５Ａ〜３５Ｃの時間応答性に基づいて導電フィンガーチップ３１がドラム４Ａから離れる方向へ移動する。このような動作が周期的に繰り返されることにより、導電フィンガーチップ３１は上下方向の軌跡を描きながらドラム４Ａを回転（例えば、図２の（ａ）の時計回り）させる。このように共振圧電モータ３０Ａと３０Ｂの各モータ駆動用電極３２と４１に通電を行うことによってドラム４Ａを回転でき、更には、トルク伝達ギヤ等の部品を不要にして構成を簡素化できる。これによって駆動装置を小型化することができる。以上は、共振圧電モータ３０Ａ，３０Ｂについての説明であるが、ドラム４Ｂ，４Ｃの共振圧電モータ３０Ｃ〜３０Ｆも同じように動作する。
【００１７】
また、発光素子２３を点灯させる場合、例えば、ドラム４Ａの発光素子２３を点灯させたいときには、共振圧電モータ３０Ａの導電部４２と共振圧電モータ３０Ｂの導電部４２との間に所定の直流電圧を印加する。このとき、発光素子２３がＬＥＤであれば、極性を合致させて電圧を印加する。例えば、共振圧電モータ３０Ａの導電部４２に＋電源を供給したとすると、共振圧電モータ３０Ａの導電部４２、ドラム４Ａの導電層２４Ａ、ドラム４Ａの８個の発光素子２３の＋端子、同発光素子の−端子、ドラム４Ａの導電層２４Ｂ、共振圧電モータ３０Ｂの導電部４２の経路で電流が流れ、ドラム４Ａに搭載の８個の発光素子２３（ＬＥＤ）が点灯する。他のドラム４Ｂ，４Ｃにおいても同様にして発光素子２３を点灯させることができる。
【００１８】
このように、共振圧電モータ３０Ａ〜３０Ｆの導電フィンガーチップ３１を接点に利用することにより、回転体内に電力を供給することができる。なお、共振圧電モータ３０Ａ〜３０Ｆの導電フィンガーチップ３１は、共振圧電モータ３０Ａ〜３０Ｆの動作原理から、１動作に１回、導電層２４Ａ〜２４Ｆから離れる状態が生じるため、連続した電力供給は行えない。しかし、ドラム４Ａ〜４Ｃ側に大容量の平滑コンデンサを設けておくことにより、発光素子２３がＬＥＤ等の比較的消費電力の低い素子であれば、不通期間の電力供給を継続して行うことができる。この結果、発光素子２３を連続点灯でき、点滅状態になるのを防止することができる。
【００１９】
図５は、図２のドラム４Ａ〜４Ｃの絵柄照明用の発光素子２３を点灯するための点灯回路の構成を示す。
ここでは、発光素子２３が、ドラム４ＡにおいてはＬＥＤ２３ａ，２３ｂ，２３ｃ，２３ｄ，２３ｅ，２３ｆ，２３ｇ，２３ｈからなり、ドラム４ＢにおいてはＬＥＤ２３ｉ，２３ｊ，２３ｋ，２３ｌ，２３ｍ，２３ｎ，２３ｏ，２３ｐからなり、ドラム４ＣにおいてはＬＥＤ２３ｑ，２３ｒ，２３ｓ，２３ｔ，２３ｕ，２３ｖ，２３ｗ，２３ｘからなるものとする。
【００２０】
点灯回路５０は、ドラム４Ａ〜４Ｃの各ドラム毎に構成された点灯回路５０Ａ，５０Ｂ，５０Ｃよりなる。また、導電フィンガーチップ３１は、共振圧電モータ３０Ａ，３０Ｂにおいては導電フィンガーチップ３１Ａ，３１Ｂであり、共振圧電モータ３０Ｃ，３０Ｄにおいては導電フィンガーチップ３１Ｃ，３１Ｄであり、共振圧電モータ３０Ｅ，３０Ｆにおいては導電フィンガーチップ３１Ｅ，３１Ｆであるとする。更に、導電部４２は、導電フィンガーチップ３１Ａ，３１Ｂにおいては導電部４２Ａ，４２Ｂであり、導電フィンガーチップ３１Ｃ，３１Ｄにおいては導電部４２Ｃ，４２Ｄであり、導電フィンガーチップ３１Ｅ，３１Ｆにおいては導電部４２Ｅ，４２Ｆであるとする。
【００２１】
ドラム４Ａにおいては点灯回路５０Ａが構成されている。ＬＥＤ２３ａ〜２３ｈはドラム毎に極性が同一になるように揃えられ、それぞれには電流制限用の抵抗器５１ａ〜５１ｈが直列接続された状態で並列に接続され、この回路の両端は導電層２４Ａと２４Ｂに接続される。更に、導電層２４Ａと２４Ｂには平滑コンデンサ５２が並列接続されている。導電層２４Ａには導電フィンガーチップ３１Ａが接触し、導電層２４Ｂには導電フィンガーチップ３１Ｂが接触している。導電フィンガーチップ３１Ａ，３１Ｂには、導電部４２Ａ，４２Ｂを介して電源５５が接続されている。
【００２２】
ドラム４Ｂにおいては点灯回路５０Ｂが構成されている。ＬＥＤ２３ｉ〜２３ｐはドラム毎に極性が同一になるように揃えられ、それぞれには電流制限用の抵抗器５１ｉ〜５１ｐが直列接続された状態で並列に接続され、この回路の両端は導電層２４Ｃと２４Ｄに接続される。更に、導電層２４Ｃと２４Ｄには平滑コンデンサ５３が並列接続されている。導電層２４Ｃには導電フィンガーチップ３１Ｃが接触し、導電層２４Ｄには導電フィンガーチップ３１Ｄが接触している。導電フィンガーチップ３１Ｃ，３１Ｄには、導電部４２Ｃ，４２Ｄを介して電源５６が接続されている。
【００２３】
ドラム４Ｃにおいては点灯回路５０Ｃが構成されている。ＬＥＤ２３ｑ〜２３ｘはドラム毎に極性が同一になるように揃えられ、それぞれには電流制限用の抵抗器５１ｑ〜５１ｘが直列接続された状態で並列に接続され、この回路の両端は導電層２４Ｅと２４Ｆに接続される。更に、導電層２４Ｅと２４Ｆには平滑コンデンサ５４が並列接続されている。導電層２４Ｅには導電フィンガーチップ３１Ｅが接触し、導電層２４Ｆには導電フィンガーチップ３１Ｆが接触している。導電フィンガーチップ３１Ｅ，３１Ｆには、導電部４２Ｅ，４２Ｆを介して電源５７が接続されている。なお、各点灯回路における上記の抵抗器及び平滑コンデンサは、外部から（遊戯者から）見えないようにしてドラム４Ａ〜４Ｃ内に収納されている。
【００２４】
上記したように、ドラム４Ａ〜４Ｃの各点灯回路は同一構成であるので、ここではドラム４Ａの点灯回路の動作についてのみ説明する。
共振圧電モータ３０Ａ，３０Ｂが非通電であるとき、導電フィンガーチップ３１Ａ，３１Ｂは導電層２４Ａ，２４Ｂに接触している。したがって、電源５５と平滑コンデンサ５２が接続され、平滑コンデンサ５２に充電が行われると共に、抵抗器５１ａ〜５１ｈを介してＬＥＤ２３ａ〜２３ｈに通電し、ＬＥＤ２３ａ〜２３ｈは同時に点灯する。ここで、ドラム４Ａを回転させるために共振圧電モータ３０Ａ，３０Ｂに通電が行われると、導電フィンガーチップ３１Ａ，３１Ｂと導電層２４Ａ，２４Ｂとの接触が瞬間的に断たれる。この瞬断の際、電源５５からＬＥＤ２３ａ〜２３ｈ及び平滑コンデンサ５２への電源供給が断たれるが、ＬＥＤ２３ａ〜２３ｈには平滑コンデンサ５２から電源供給が行われので、ＬＥＤ２３ａ〜２３ｈは連続点灯する。なお、点灯回路５０Ａ〜５０Ｃにおいて、平滑コンデンサ５２〜５４は、共振圧電モータ３０Ａ〜３０Ｆが頻繁に駆動される場合、電源供給の瞬断する回数が多くなるので、容量の大きなものを用いるのがよい。
【００２５】
このように、スロットマシンの絵柄を裏面から発光表示することによって、スロットマシンの面白みを増すことができる。なお、図５の構成においては、点灯回路５０Ａ〜５０Ｃのそれぞれに電源を設けたが、電源を１つにして点灯回路５０Ａ〜５０Ｃに供給することも、電源を２つ（点灯回路の１つと、他の２つの点灯回路用）にして供給を行ってもよい。
【００２６】
図６は、点灯回路の他の構成を示す。図中、図５に示したと同一であるものには同一引用数字を用いている。
この点灯回路６０は、ドラム４Ａ〜４Ｃの回転軸２２を回路導体の一部（例えば、電源のグランドライン）に用いている。回転軸２２は回転するため、回転軸２２と電源６２との接続は摺動機構６１を介して行う。摺動機構６１としては、例えば、回転軸２２に同軸に取り付けられた不図示の回転リングと、この回転リングに接触する不図示の摺動部材（ブラシ）による構成がある。摺動部材は電源６２の（−）出力に接続される。なお、回転軸２２とＬＥＤ２３ａ〜２３ｘとの接続は、ハンダ等により直接に接続してもよいし、中継リング、端子板等の部品を介して接続してもよい。
【００２７】
点灯回路５０Ａは平滑コンデンサ５２を並列接続した状態で（＋）側が導電フィンガーチップ３１Ａに接続され、（−）側は回転軸２２に上記した手段により接続される。同様に、点灯回路５０Ｂは平滑コンデンサ５３を並列接続した状態で（＋）側が導電フィンガーチップ３１Ｃに接続され、（−）側は回転軸２２に接続される。更に、点灯回路５０Ｃは平滑コンデンサ５４を並列接続した状態で（＋）側が導電フィンガーチップ３１Ｅに接続され、（−）側は回転軸２２に接続される。図６の構成によれば、回転軸２２を配線の一部として用いることができるので、導電フィンガーチップ３１の使用数を低減することができる。
【００２８】
上記実施の形態においては、ドラムの個数はドラム４Ａ〜４Ｃの３つとしたが、その設置数は任意である。また、図２においては共振圧電モータを正面に配置したが、下部、上部、或いは角度をつけて設置することもできる。
【００２９】
上記説明においては、スロットマシンについて説明したが、本発明は、その他の遊戯装置（例えば、パチンコ台のルーレット）や、他の回転体を駆動する駆動部に適用することができる。また、自動販売機にも適用可能である。自動販売機では、ホット／コールド等の文字表示を行っているが、その表示部が回転式であるとき、その回転駆動源に共振圧電モータを用い、表示部の発光素子への通電を導電フィンガーチップを介して行うことができる。
【００３０】
或いは、時計に適用することもできる。従来、時計の長針、短針等の針を暗所で認識できるようにする手段として、針に蛍光塗料を塗布していたが、蛍光塗料の発光は暗く、また、時間の経過によって徐々に暗くなっていくため、実用に適さないものであった。しかし、時計の針（作動体）を圧電共振モータ３０で駆動し、同時にその駆動素子である導電フィンガーチップ３１を電気接点にして針に電気を送り、針をＬＥＤ等で発光させることにより、暗所でも容易に針を認知（時刻の確認）できるようになる。特に、ＬＥＤを用いた場合には、針部を高輝度で照らすことができる。
【００３１】
更に、本発明は、ドラム型以外の回転表示器（例えば、円板型の回転表示器）への適用が可能である。従来、回転表示器は、表示器を回転させるモータと表示のために電気を供給するために、水銀接点を使用した構成のものがある。この水銀接点は回転体に電気を供給する用途においては、耐久性及び信頼性に優れるが、高価であるばかりか、水銀による公害が問題になる。しかし、水銀接点を本発明の駆動装置に代えることにより、部品点数の削減、スペースの減少、及びコストダウンが可能になる。
【００３２】
また、本発明はエアコン装置に適用することができる。エアコン装置は風向きを変えるためのフラップを備えている。そこで、このフラップに複数のＬＥＤを装着（複数の発光色の組み合わせで配列、模様等に配列等）し、フラップを上下、左右に動かす駆動に共振圧電モータ３０を用い、導電フィンガーチップ３１を介して複数のＬＥＤを点灯するようにすれば、イルミネーションによる室内装飾が可能になる。
【００３３】
【発明の効果】
以上より明らかなように、本発明の給電部を有する駆動装置によれば、共振圧電モータの導電チップで駆動力を被駆動体に伝達すると同時に、導電チップを介して被駆動体側に電源供給を行えるようにしたので、少ない部品点数及び省スペースにより電源供給が行え、しかもコストダウンが可能になる。
【図面の簡単な説明】
【図１】本発明の駆動装置が適用される遊戯装置の正面図である。
【図２】図１のドラムの詳細を示し、（ａ）は側面図、（ｂ）は正面図でである。
【図３】本発明に係る共振圧電モータの構造を示す側面内部図である。
【図４】共振圧電モータの外観を示し、（ａ）は正面図、（ｂ）は側面図、（ｃ）は裏面図、（ｄ）は底面図である。
【図５】図２のドラムの絵柄照明用の発光素子を点灯するための点灯回路の構成を示す回路図である。
【図６】点灯回路の他の構成を示す回路図である。
【符号の説明】
１  スロットマシン
２  正面パネル
３Ａ，３Ｂ，３Ｃ  リール窓
４Ａ，４Ｂ，４Ｃ  ドラム
５  入賞ライン表示部
６  払出枚数表示部
７  メダル投入口
８  スタートスイッチ
９Ａ，９Ｂ，９Ｃ  ストップボタン
１０  メダル受け皿
１１  メダル払出口
２０  駆動装置
２１  絵柄
２２  駆動軸
２３  発光素子
２３ａ〜２３ｘ  ＬＥＤ
２４Ａ〜２４Ｆ  導電層
３０Ａ〜３０Ｆ  共振圧電モータ
３１  導電フィンガーチップ
３１Ａ〜３１Ｆ  導電フィンガーチップ
３２  モータ駆動用電極
３３  ケース
３４Ａ，３４Ｂ  固定支持体
３５Ａ，３５Ｂ  弾性支持体
４０  圧電セラミック
４２  導電部
４２Ａ〜４２Ｆ  導電部
５０Ａ，５０Ｂ，５０Ｃ  点灯回路
５１ａ〜５１ｘ  抵抗器
５２〜５４  平滑コンデンサ
５５〜５７，６２  電源
６０  点灯回路
６１  摺動機構
【図１】
2004187458.tif 000003
【図２】
2004187458.tif 000004
【図３】
2004187458.tif 000005
【図４】
2004187458.tif 000006
【図５】
2004187458.tif 000007
【図６】
2004187458.tif 000008